(57)【要約】本発明は、完成した床の上に設置できるバリアフリーの床敷居、詳細には古い建物用又はリフォーム用の敷居に関し、この床敷居は、窓あるいはドアと連動して、内側領域から建物の外側領域を、又は２つの部屋を互いに密閉する。本発明は、基板の内側を向く側面に第１の熱分離部が設けられ、基板の外側を向く側面に第２の熱分離部が設けられており、底面を向く基板の側面には、放水路を境界するために下部終端エレメントが配置されていることを特徴としている。【選択図】図４
2015510057.tif 000002
【特許請求の範囲】
【請求項１】
完成した床の上に設置できるバリアフリーの床敷居、詳細には古い建物用又はリフォーム用の敷居であり、前記床敷居は、窓もしくはドア（８）と連動して、内側領域から建物の外側領域を、又は２つの部屋を互いに密閉し、磁気シール（５、６）を収容するための少なくとも１つの、好ましくは２つの溝（３、４）を有する基板（１）から成り、内側（Ｉ）を向く前記基板（１）の側面に第１の熱分離部（１１）が設けられ、外側（Ａ）を向く前記基板（１）の側面に第２の熱分離部（１２）が設けられており、底面を向く前記基板（１）の側面には、放水路（７）を境界するために下部終端エレメント（２）が配置され、前記放水路は、前記溝（３、４）と、前記基板（１）の外側に設けられた排水部（７１）とを接続している、床敷居。
【請求項２】
前記放水路（７）は、流出する水がそれぞれ前記放水路（７）に直接送られるように前記溝（３）又は前記２つの溝（３、４）と接続されており、このとき、前記排水部（７１）又はその排水開口部は、具体的には内側の突起部（３０、４０）の方にずれた形で、前記基板（１）の中に配置されていることを特徴とする、請求項１に記載の床敷居。
【請求項３】
２つの熱分離部（１１、１２）が設けられており、該２つの熱分離部は、前記基板（１）の凹部の中に差し込み可能で、具体的にはクリップ留めが可能であり、前記凹部は、好ましくは前記溝（３、４）の横にそれぞれ配置されており、とくに前記熱分離部（１１、１２）が前記基板（１）とは異なる材料によって、詳細にはプラスチックから成る材料によって形成されていること、及び／又は前記基板（１）が軽金属、詳細にはアルミニウムから形成され、好ましくは前記第２の熱分離部（１２）が、外側を向く前記基板（１）の側面に設けられていることを特徴とする、請求項１又は２に記載の床敷居。
【請求項４】
前記下部終端エレメント（２）に、外側を向く延長部（２１）が設けられており、該延長部は、少なくとも端縁部領域において、ドア又は窓ドアの戸枠（９）用のサポート又は接続部を形成しており、好ましくは前記延長部（２１）の付近に、前記床敷居（１００）もしくは前記基板（１）の前記サポート及び／又は前記延長部（２１）を支持するための、前記底面（Ｂ）を向く支柱（２２）が設けられていることを特徴とする、請求項１〜３のうちいずれか一項に記載の床敷居。
【請求項５】
内側（Ｉ）を向く側の前記基板（１）が、前記熱分離部（１１）との接続部として設けられ、前記底面（Ｂ）の高さまで延び、好ましくは内側（Ｉ）を向く前記基板（１）と前記支柱（２２）とが、前記底面（Ｂ）に関して同じ高さで設けられ、詳細にはアダプタ（９０）が設けられており、該アダプタによって、前記戸枠（９）は前記床敷居（１００）に固定可能であること、及び／又は外側を向く脚部（１４）が前記基板（１）に設けられており、前記脚部の下に、前記排水部（７１）又は多数の排水開口部が配置されていることを特徴とする、請求項1〜４のうちいずれか一項に記載の床敷居。
【請求項６】
前記基板（１）の外側（Ａ）を向く脚部（１４）と内側（Ｉ）を向く脚部（１３）とが、均等な屈曲によって前記底面（Ｂ）へガイドされており、詳細には前記脚部（１３）と前記基板（１）との接続部に規定屈曲箇所（１３０）が設けられ、これにより、前記脚部（１３）を内側の前記底面（Ｂ）の高さに合わせ、例えば内側の底面の床の高さに合わせた位置（１３’）にし、有利には前記規定屈曲箇所（１３０）の前記底面（Ｂ）を向く側面に凹部（１３１）が配置されていることを特徴とする、請求項１〜５のうちいずれか一項に記載の床敷居。
【請求項７】
前記終端エレメント（２）が、前記基板（１）とは異なる材料、詳細には、プラスチックなどの熱を通し難い材料から形成されていることを特徴とする、請求項１〜６のうちいずれか一項に記載の床敷居。
【請求項８】
前記磁気シールストリップ（５、６）が、前記窓又は前記ドア（８）が閉められた状態において、該窓又は該ドアの前記底面（Ｂ）を向く側に前記磁気シールストリップに対応する形で配置されたカウンタマグネット（８１）と連動して、前記床敷居（１００）とドアの下縁部との間にある隙間を密閉すること、及び／又は前記窓又は前記ドア（８）に固定されている、あるいは前記窓又は前記ドアの中に埋め込まれている担体（８４）に、前記カウンタマグネット（８１）が固定されており、好ましくは前記カウンタマグネットが、それぞれ個別の担体に配置されているか、又は固定されていること、及び／又は前記個別の担体が、前記窓又は前記ドア（８）の下面を向く側面にピン（８４２）を有し、該ピンによって前記個別の担体が前記窓又は前記ドア（８）の中に固定可能であることを特徴とする、請求項１〜７のうちいずれか一項に記載の床敷居。
【請求項９】
前記１つ又は複数のカウンタマグネット（８１）自体が、前記窓又は前記ドア（８）を向く側面に形成されたピン（８４２）を有し、該ピンは、前記窓又は前記ドア（８）の下面の中に取り付け可能で、具体的にはそこに固定可能であること、及び／又は前記カウンタマグネット（８１）は、前記床敷居（１００）又は前記磁気ストリップ（５、６）を向く側面に、凹形に形成されている平面（Ｆ）を有していること、及び／又は前記１つ又は複数のカウンタマグネット（８１）が、Ｎ極に磁化された平面（Ｆ）を備え、Ｎ極に磁化された前記平面（Ｆ）は、好ましくは、Ｓ極、Ｎ極、Ｓ極を備える３極構造を有し、詳細には、前記ピン（８４２）が、合い釘の作用を得るために、裂け目又はねじ山を有していることを特徴とする、請求項1〜８のうちいずれか一項に記載の床敷居。
【請求項１０】
前記１つ又は複数のカウンタマグネット（８１）が、ストリップとして形成され、かつ一体形成で形成されており、前記２つの磁気シールストリップ（５、６）と連動して作用することを特徴とする、請求項1〜９のうちいずれか一項に記載の床敷居。
【請求項１１】
前記外側（Ａ）底面（Ｂ）と前記内側（Ａ）底面（Ｂ）との間の、例えば５〜１０ｍｍ、とくに最大３０ｍｍなど、数ミリメートルの高さの違いを屈曲によって補正するために、前記一方の脚部（１３）が前記他方の脚部（１４）よりも長く形成されていること、及び／又は接続形状（１５）が高さ補正形状（Ｈ）として設けられており、該高さ補正形状は、外側（Ａ）及び／又は内側（Ｉ）を向く側の前記基板（１）の下面に固定可能であり、前記接続形状（１５）は、外側（Ａ）と内側（Ｉ）との間でさらに高さ調整するための追加脚部（１６）を収納又は支持しており、好ましくは前記追加脚部（１６）が曲げ部（１６２）を有し、該曲げ部は、前記接続形状（１５）の収容部（１５１）に挿入可能であり、少なくともポジティブ結合による接合、好ましくはしかし、ポジティブ結合と摩擦結合とによる接合が形成されることを特徴とする、請求項１〜１０のうちいずれか一項に記載の床敷居。
【請求項１２】
前記追加脚部（１６）には、規定屈曲溝（１６０）と、好ましくはこれに向かい合う、対応する形で配置されている成形部（１６１）とが設けられていること、及び／又は断面で見て円形に又はキャスタ受け具として形成されている前記収容部（１５１）が形成され、それによって、前記収容部に対応して形成されている前記追加脚部（１６）又は中間部品（１６３）のキャスタ（１６４）が収容され、好ましくは終端部品（１５３）が、前記接続形状（１５）に設けられた固定溝（１５４）の中に配置可能であり、それによって、前記追加脚部（１６）又はそれに配置されている前記中間部品（１６３）が旋回可能に固定されることを特徴とする、請求項１〜１１のうちいずれか一項に記載の床敷居。
【請求項１３】
前記接続形状（１５）の前記底面（Ｂ）を向く側面に高さ調整装置（１７）が設けられており、該装置は、前記接続形状（１５）に形成された接続溝（１５２）の中に固定可能であること、及び／又は前記中間部品（１６３）の外側（Ａ）を向く側面に、前記追加脚部（１６）を収納する差し込み溝（１６５）が形成されていること、とくに好ましくは、シール（１８）が、詳細には複合金属シート（１９）によって前記基板（１）の下面に配置可能であること、及び／又は前記シール（１８）が、溶接、冷間接着又は熱接着によって前記基板（１）に固定可能であることを特徴とする、請求項１〜１２のうちいずれか一項に記載の床敷居。
【請求項１４】
少なくとも１つの接続形状（１５）、追加脚部（１６）ならびに好ましくは高さ調整装置（１７）から成る、詳細には請求項１〜１３のうちいずれか一項に記載の床敷居（１００）用の高さ補正形状。
【請求項１５】
前記追加脚部（１６）が、中間部品（１６３）に固定可能であり、詳細には差し込み溝（１６５）の中に差し込み可能であること、及び／又は前記中間部品（１５）が、キャスタ受け具として形成されている収容部（１５１）を有し、該収容部の中に前記追加脚部（１６）のキャスタ（１６４）が、詳細には旋回可能に使用可能であることを特徴とする、請求項１４に記載の高さ補正形状。
【請求項１６】
請求項１〜１３のうちいずれか一項に記載の床敷居（１００）と請求項１４及び１５のいずれか一項に記載の高さ補正形状（Ｈ）とを備える窓又はドアなどのシステム開閉エレメント。
【発明の詳細な説明】
【技術分野】
【０００１】
本発明は、完成した床の上に設置できるバリアフリーの床敷居、詳細には古い建物用又はリフォーム用の敷居に関し、この床敷居は、窓もしくはドアと連動して、内側領域から建物の外側領域を、又は２つの部屋を互いに密閉する。
【背景技術】
【０００２】
このような種類の床敷居は、すでに周知である。しかし、いわゆるリフォーム用又は古い建物用の敷居の場合は、床を変更したくない、あるいは変更できないという理由が建物側にあり、そのような床敷居の床凹部が存在していないという問題がある。詳細には、本発明におけるように、バリアフリーで部屋を互いに分離しなければならない場合、又は内側を外側領域から分離しなければならない場合、そのような種類の敷居は、極めて平坦に実施する必要がある。というのも、養護施設、病院、あるいはすべてのバリアフリースペースの規定は、最大２ｃｍの隆起も許可してないからである。従って、今日の敷居は、より平坦に形成されていなければならない。この種のバリアフリーの床敷居の問題は、１つには、車椅子、病院のベッド、歩行器などによって通過が可能な移行部を作ることにあり、しかしながら一方で、より安全な密閉保護を保証し、とりわけドアもしくはドアの下縁部と床との間にある領域での熱保護も同時に保障することにある。
【０００３】
このとき、頻繁に発生する問題として、とくに金属製敷居の熱分離が極めて難しいことがある。そのため、そのような床敷居の平坦な構造により、現在のところ、従来技術では建築主や建築家からの要求に従って熱分離を実現することができない。さらに、言及した種類の床敷居は、軽金属又は金属で実施されていることが多く、このことは、当然、これらの材料によって熱伝導が非常に良くなることを意味し、これはまったく望ましいことではない。従って、少なくとも１つの熱分離部がそのような床敷居の中になければならない。このことは、通常、熱を通し難い材料を床敷居に加えることによって実現される。もう１つの問題は、床敷居が軽金属または金属から形成されている場合、熱もまた、床敷居の取付け方向に、いわゆる上から下へと底面の中に伝えられるため、ここでも熱分離を行わなければならない。従来技術で知られている床敷居は、断熱に関して、及び詳細には熱伝導性能に関して今日の要求を満たしていない。
【０００４】
具体的には、磁気シールがドア又は窓のシール構造の少なくとも一部分を形成している場合、従来技術には、床敷居又はその基板内にある溝の中に入り込む湿気又は場合によっては水をできる限り排出しなければならないというもう１つの問題がある。バリアフリーの床敷居が非常に平坦な形状又は構造であることから、通常よりもさらに平坦な構造でも排水コンセプトが保証されなければならないが、このような排水コンセプトを開発することは従来技術では未だ成功していない。
【発明の概要】
【発明が解決しようとする課題】
【０００５】
このことから出発して、本発明の課題は、前述した従来技術の欠点の少なくとも１つを解消することである。
【課題を解決するための手段】
【０００６】
本発明は、これまでに説明した従来技術から出発して、課せられた課題を解決するため、完成している床の上に設置できるバリアフリーの床敷居、詳細には古い建物用又はリフォーム用の敷居を提案する。この床敷居は、窓もしくはドアと連動して、内側領域から建物の外側領域を、又は２つの部屋を互いに密閉し、磁気シールを収容するための少なくとも１つの、好ましくは２つの溝を有する基板から成り、基板の内側を向く側面に第１の熱分離部が設けられ、基板の底面を向く側面には、放水路を境界するために下部終端エレメントが配置され、この放水路は、溝と、基板の外側に設けられた排水部とを接続している。
【発明の効果】
【０００７】
本発明による解決方法により、従来技術にはまだない、入り込んでくる湿気又は水滴の排出コンセプトを、古い建物用の敷居であるバリアフリーの床敷居にも利用することが可能になる。水が入り込んだ場合、その水は２つの溝から、外側を向く側面に排水開口部を有する放水路を通って外へと送り出される。これにより、場合によっては強い横降り又は暴風雨によって、僅かな量の水が磁気シールストリップの溝の中に入り込んだとしても、内側領域には水分が浸入しないように維持することができる。また、場合により、例えば大きな温度差によって生じる結露水も、本発明に基づく放水路によって相応に排出することができる。さらに、下部終端エレメントは、誘導機能の他にも、熱伝導をより小さくすることによって断熱の向上も可能となるように形成することができる。すなわち、後述する実施形態においては、熱を通し難い材料から下部終端エレメントを製造することが可能である。しかしながら、適切なバリエーションでは、例えば下部終端エレメントと床敷居との接触面を全体的に非常に少なくすることで、軽金属で実施することも可能である。これにより、面積をより小さくすることにより、当然、熱伝導もより小さくなるため、もっとも簡単な形で断熱性が改善される。
【０００８】
本発明によれば、放水路は、流出する水がそれぞれ排水部又は放水路に直接送られるように１つ又は２つの溝と接続されており、このとき、排水部又はその排水開口部は、具体的には内側の突起部の方にずれた形で、基板の中に配置されている。この場合、突起をずらした配置は極めて有利なバリエーションである。というのも、場合によって強い風力が床敷居に当たっても、風は直接放水路の中に入り込めないため、風の作用又は流れを大幅に軽減できるからであり、そのため、強風時でも常に障害なく水を流出させることができる。
【０００９】
さらに、下部終端エレメントに外側を向く延長部が設けられている場合は有利であることが発見された。この延長部は、少なくとも端縁部領域において、ドア又は窓ドアの戸枠用のサポート又は接続部を形成している。窓ドアとして外側ドア又はバルコニーエレメントが実施されている場合は、ドア又は窓のフレームを形成している戸枠が、壁領域の外側の方へも配置されるのが一般的である。これらの戸枠には、開閉エレメントも配置されており、該当するヒンジ及び／又は閉鎖装置もしくはロック装置がそこに取り付けられている。ここでは、床敷居との接続を行うため、下部接続エレメントの少なくとも外側を向く側面に該当する延長部が設けられており、そのため床又は底面領域にも該当する移行部がある。有利には、この場合、延長部が同時に戸枠用のサポート又は接続部として用いられる。
【００１０】
本発明のバリエーションでは、とくに延長部の付近に、床敷居もしくは基板のサポート及び／又は延長部を支持するための、底面を向く支柱が設けられている。これらの支柱は、床敷居又は延長部に負荷がかかってもたわみが生じないような間隔で配置されている。しかしまた、床敷居のための接触面が全体的に明らかに縮小されることから、これらの支柱は、同時に断熱効果を向上させる働きもある。従来技術では、古い建物用の敷居としての床敷居を直に、すなわち全面を底面上に載せるのが一般的であった。従って、軽金属又は金属で実施されている場合は、当然、熱移動も大きいため、下部領域の断熱が不利であった。本発明による実施形態により、床敷居の熱分離部に至るまでの延長部付近の接触面が小さいことによってすでに、熱移動をより少なくすることができる。もちろん、ここでも支柱及び／又は延長部全体が熱を通し難い材料で製造されている場合は有利である。しかしながら、このことは、製造技術的に高コストに結びつくため、延長部の実施形態は、該当する支柱によるサポートを同じ材料で実施する形で行うのが非常に有利である。
【００１１】
床敷居の基板は、内側を向く側面に、熱分離部と接続するための収容溝を有しているため、もちろん熱を通し難い材料から作られている熱分離部は、基板の内側の部品と基板の外側を向く部品との間に接続すること、又は延長部と接続することができる。この場合、内側を向く領域にある基板は、延長部又は下部終端エレメントの支柱と同じ高さで設けられている。従って、延長部を含めた床敷居の均等なサポートが提供されている。この実施形態の断熱効果は、すでに説明した。
【００１２】
さらに、戸枠を床敷居に固定できるアダプタが設けられている場合は有利である。もちろん、このアダプタは、床敷居及び／又は戸枠の各実施形態に応じて、それぞれ該当する寸法に適合可能である。この場合、アダプタは床敷居への固定にも、床敷居への戸枠の固定にも用いられる。アダプタは、床敷居と戸枠との間で、いわゆる接続部を形成している。
【００１３】
すでに言及したように、この床敷居には、外側を向く脚部が基板に設けられており、その基板の下に、排水部又は多数の排水開口部が配置されている。この実施形態の効果は、すでに説明した。詳細には、この排水部はもちろん放水路に直接接続されていることから、磁気シールストリップ用の溝から直接外へ水を排出することができる。このとき、放水路が僅かに傾斜している場合は有利である。
【００１４】
すでに説明したバリエーションの有利な発展形態では、基板の外側を向く側面に第２の熱分離部が設けられている。この有利な実施形態により、もちろん床敷居を通る熱伝導は全体的にさらに低下することから、断熱が改善される。
【００１５】
従って、本発明に基づくバリアフリーの床敷居は、従来技術で発生した一連の問題、すなわち１つには、熱分離を改善することによってドアエレメント又は窓エレメント全体の断熱性能を改善するという問題、もう１つは排水の問題についても同時に解決する。同時に、このバリアフリーの床敷居がバリアフリーの規定事項に引き続き対応していること、すなわち床敷居の取付け高さが、この種のバリアフリー移行部に許容されている高さよりも低いことに注意しなければならない。この床敷居は非常に平坦に実施され、詳細には敷居が底面から見て隆起し、再び底面へ降下している領域においても、非常に小さな半径で実施されているか、又はほんの僅かな丸みを持たせて実施されている。このことは、全体として断熱要求がまだそれほど厳しくない国々でのバリアフリー移行部にも当てはまる。そのような移行部に用いられるこの種のドアエレメント又は窓エレメントは、それらの奥行寸法がドイツ又は欧州の標準と一致していないのではなく、それらの肉厚又は厚さが明らかにより小さく実施されていることを特徴としている。従って、古い建物又はリフォーム用の敷居として用いるバリアフリーの床敷居も、このことに対応して形成しなければならないことは当然である。この種の床敷居における問題は、具体的には２つの磁気シール又は該当する溝を横に並べて配置することである。このとき、これらの磁気シール又は溝は、奥行寸法が小さいドアの場合でも絶対安全に作用し、詳細には２つの磁気ストリップを備える仕様において、磁気ストリップの引きつけが相異なって行われることを保証しており、その際、引きつけられる磁気ストリップは、それぞれ対応するカウンタマグネットがその磁気ストリップの上にある場合だけである。この問題も本発明によって解決され、同じく該当する丸みを備える移行部は、車椅子、病院のベッド又は歩行器、あるいはその他のこれに関係する補助手段によって、問題なく乗り越えられるように実施されている。
【００１６】
そのような、あまり幅広く実施されていない床敷居においても、磁気ストリップ用の２つの溝の排水は保障される。そのために、底面を向く基板側面と下部終端エレメントとの間に放水路が設けられている。これにより、詳細には２つの溝と放水路とが適切に接続されることによって、とくに本発明による非常に平坦に実施されたバリアフリーの床敷居においても、外への排水を行うことができる。すでに言及したもう１つの問題、すなわち上から下への熱伝導又は下方の底面から上方の部屋への熱伝導を中断することも本発明によって解決され、その際、床敷居の下部終端エレメントが同様に熱を通し難い材料で実施される。
【００１７】
これにより、全体として、（垂直方向への取付け位置で）下から上又は上から下への熱伝導が中断され、他方では、外側から内側又は内側から外側への熱伝導も中断された（この場合、２つの熱分離部によって）。本発明に基づくバリアフリーの床敷居の特徴の組合せにより、従来技術ではこれまで解決されなかったあらゆる問題を解決することができ、このことは、中央ヨーロッパ、とくにドイツの要求を満たす標準に対しても可能であり、かつまた、それほど高い要求を課していない標準に対しても可能である。従って、本発明に基づく床敷居は、おそらくそれ程高い断熱が必要ではない国々でも使用することができる。本発明は、両方の標的集団に対して該当する解決方法を提供し、両方の使用形態に汎用的に適用可能である。
【００１８】
すでに言及したように、放水路は、磁気シールストリップが配置されている、好ましくは２つの溝に接続されている。本発明に基づき、放水路が２つの溝に接続されていることから、流出する水は、それぞれ直接放水路の中に送られる。この場合、もう１つの利点として、排水開口部を、詳細には内側の突起部の方にずれた形で基板の中に配置できることが挙げられる。これにより、例えば強風の場合に湿気又は水が中へ押し戻されるのを防ぐことができ、同時に、横降り及び強風の際には水がこれらの開口部の中に入り込んで、放水路の中に浸入するのも防ぐことができる。
【００１９】
本発明の有利な発展形態は、２つの熱分離部が基板の凹部の中に差し込み可能で、具体的にはクリップ留めが可能であることを特徴とする。基板内のこれらの凹部は、好ましくは磁気シールストリップ用の溝の横にそれぞれ外側と内側とに向かって配置されている。これにより、基板は、例えば軽金属異形材用の間接押出プレス法で非常に割安に製造することができる。詳細には、これによって、基板内への熱分離部の配置又は取付けの労力が大幅に軽減される。というのも、基板内の凹部もやはり溝のすぐ横に配置されているからである。すでに言及したように、熱分離部が基板とは異なる材料によって、詳細にはプラスチックから成る材料によって形成されていることは有利である。これにより、すぐれた断熱特性又は熱分離が得られる。外側から内側への熱伝導プロセスの中に２つの熱分離部が設けられていることにより、詳細には軽金属又はアルミニウムから製造されている床敷居の断熱特性を明らかに改善することが可能である。このために、さらに下部終端エレメントも同様に異なる材料から製造される。この場合も、同じくプラスチックが好ましい。これにより、外側から内側又はその逆への熱伝導が中断され、底面から見て上又はその逆への熱伝導も中断される。従って、全体として、あらゆる熱技術的要求を満たす完全に最適化された床敷居が得られる。しかしながら、この床敷居は、同時にバリアフリーの床敷居として、詳細には古い建物におけるリフォーム用の敷居としても使用可能であり、このことは、いわゆるバリアフリーの住居もしくは設備及び建物においても同様である。基板は、すでに何度も言及したように、軽金属、詳細にはアルミニウムから形成され、従って間接押出プレス法で非常に割安に製造することができる。
【００２０】
本発明に基づく床敷居は、さらに、基板の外側を向く脚部と内側を向く脚部とが、均等な屈曲によって底面へガイドされていることを特徴としている。この均等な屈曲はすでに冒頭で言及しているが、バリアフリーの移行部をできる限り有利に作るために用いられる。つまり、ここでは、床敷居によってエッジ又は段が生じるのではなく、これらの脚部によって、いわゆる底面の高さから出発して僅かに上昇して床敷居を乗り越えられ、次に、床敷居の他方の側では、やはり僅かだけ下降することになる。これにより、障害者用車両又は障害者用装置の引っ掛かり又は挟み込みは生じない。
【００２１】
本発明の有利な実施形態は、脚部と基板との接続部に規定屈曲箇所が設けられ、これにより、脚部を内側の底面の高さに合わせ、例えば内側の床の高さに合わせた位置にすることを特徴とする。同様のやり方で、もちろん、外側を向くもう１つの脚部が接続されている他方の側面にも該当する規定屈曲箇所を設けることができ、これによって、この脚部は、例えば外側の底面の高さにも合わせられる。従って、この床敷居は、さまざまな底面高さを有する部屋がある建物にも使用可能である。本発明に基づく床敷居によって、高さの補正を非常に簡単に行うことができる。そのために、すでに言及したように、床敷居の少なくとも片方に規定屈曲箇所を備える該当する脚部があり、それによって、この脚部はそれぞれの底面の高さに調整される。
【００２２】
脚部の屈曲をさらに改善するため、それぞれの規定屈曲箇所又はその反対側の規定屈曲箇所には、底面を向く側面に凹部が配置されている。この凹部は、脚部の屈曲をさらに簡単にするために用いられる。しかしまた、その部分で破断が生じるのを防ぐためにも用いられる。この破断は、例えば断面で見て湾曲形である凹部の実施形態の特殊な方式によって防止される。
【００２３】
すでに冒頭で説明したように、本発明の発展形態は、同様に基板に取り付け可能に形成されている下を向く終端形状が、基板とは異なる材料、詳細には、プラスチックなどの熱を通し難い材料から形成されていることも特徴としている。これに関連する利点は、すでに冒頭で説明した。
【００２４】
また、本発明に基づく床敷居は、磁気シールストリップが、窓又はドアが閉められた状態において、この窓又はドアの底面を向く側に磁気シールストリップに対応する形で配置されたカウンタマグネットと連動して、床敷居とドアの下縁部との間にある隙間を密閉することを特徴としている。この場合、本発明に基づく床敷居は、とくに、２つの磁気ストリップが横並びに（外側から内側へ）基板に配置されていることによって特徴づけられる。そのために、これに対応する形で、該当するカウンタマグネットも、もちろん、ちょうど反対側に位置するドア又は窓の下脚部に取り付けられている。すなわち、ドア又は窓の、底面を向く側面に取り付けられている。
【００２５】
窓またはドアに固定されている、あるいは窓又はドアの中に埋め込まれている担体に、カウンタマグネットが固定されている場合は有利であることが証明された。これにより、カウンタマグネットをあらかじめ担体に固定できることから、簡単なやり方で、窓又はドアの下面に正確にはめ込むことができる。この床敷居は、カウンタマグネットと連動して作用するこれらの両方の磁気シールストリップだけをシールエレメントとして有しているのではなく、本発明に基づく床敷居によって、例えば雨よけ板に取り付ける底面シールなど、その他のシールも同様に設けることが可能であり、それによって、全体として密閉作用がさらに改善されるという、本発明のもう１つの利点も提供される。また、ドアの内側にも同様に、底面を向くシール形状、例えば中空形状を配置して、さらに密閉作用の改善を図ることも、もちろん可能である。これにより、古い建物の敷居として用いるこの床敷居は、密閉作用に関して、床に埋め込むことのできる新築の敷居とほぼ同等の品質となる。
【００２６】
カウンタマグネットが、それぞれ個別の担体に配置又は固定されており、１つ又は複数の個別の担体が、窓又はドアの下面を向く側面にピンを有し、このピンによって個別の担体が窓又はドアの中に固定可能である場合は、さらに有利である。次に、これらのピンは、例えば、ドア又は窓の下面にあらかじめ設けられた開口部の中に挿入され、合い釘と同様に固定される。
【００２７】
本発明に基づく床敷居は、さらに、１つ又は複数のカウンタマグネット自体が、窓又はドアを向く側面に形成されたピンを有し、この１つ又は複数のピンは、窓又はドアの下面の中に取り付け可能で、具体的にはそこに固定可能であることを特徴としている。このことは、例えば、これらのカウンタマグネットを押し込むか、又は叩き込むことで行われる。
【００２８】
本発明に基づくカウンタマグネットは、床敷居又は磁気ストリップを向く側面に、凹形に形成されている表面を有している。この凹形に形成された磁化表面は、この場合、好ましくはＳ極、Ｎ極、Ｓ極の順番で３極構造を備える、いわゆるＮ極に磁化された表面であることを特徴とする。有利には、カウンタマグネット又は個別の担体に設けられているピンは、合い釘の作用を得るために、裂け目又はねじ山を有している。
【００２９】
本発明は、さらに、１つ又は複数のカウンタマグネットが、ストリップとして形成され、かつ一体形成で形成されており、また２つの磁気シールストリップと連動して作用できることを特徴とする、もう１つの実施形態によっても特徴づけられている。すなわち、唯一のカウンタマグネットで、２つの磁気シールストリップの幅をカバーすることが可能であり、従って、磁気シールストリップとカウンタマグネットとが正確に向かい合っている場合は、望ましい磁気作用を得ることができる。この場合、一体形成されているカウンタマグネットの極性は、２つの磁気シールストリップがカウンタマグネットに向かい合っている際に２つの磁気シールストリップが正確に引きつけられるように設定される。
【００３０】
すでに言及したように、本発明の実施形態は、それぞれの脚部が外側又は内側へ向かって形成されており、底面への屈曲によって補正可能であることを特徴としている。好ましい発展形態では、外側底面と内側底面との間の、例えば５〜１０ｍｍ、とくに最大３０ｍｍなど、数ミリメートルの高さの違いを屈曲によって補正するために、一方の脚部が他方の脚部よりも長く形成されている。このことは、もちろん内側から外側に高さの違いがある場合にも設けることができ、その場合は、底面がより低い場所にある側の脚部をより長く形成することで、高さの違いを明らかに有利に補正することができる。
【００３１】
本発明は、接続形状が高さ補正形状として設けられていることによっても特徴づけられ、この高さ補正形状は、外側又は内側を向く側面の基板の下面に固定可能であり、この接続形状は、外側と内側との間でさらに高さ調整するための追加脚部を収納又は支持している。このとき、問題は、例えば外側領域にあるテラスの底面高さが内側領域よりも低い場合などにおいて特定の段を克服することである。もちろん、外側領域が内側領域よりも高く形成されているか、又は外側領域の高さが内側領域よりも高い場合も、同じことが該当する。従って、この高さ補正を行うために、高さ補正形状が床敷居の内側に配置される。この場合、接続形状は、底面、すなわち底面を向く床敷居の側面に固定可能で、例えばボルト締め可能であるように形成されている。この場合、追加脚部は、１つには床敷居の継ぎ足し部分にほとんど段が生じないように、他方では放水路からの湿気又は水分の流出が妨げられないように設けられている。
【００３２】
好ましくは、このために追加脚部が曲げ部を有し、この曲げ部は接続形状の収容部に挿入可能であり、少なくともポジティブ結合による接合、好ましくはしかし、ポジティブ結合と摩擦結合とによる接合が形成される。さらなる高さ補正の可能性を図るため、追加脚部には、規定屈曲溝と、好ましくはこれに向かい合う、対応する形で配置されている成形部とが設けられている。これにより、規定屈曲箇所を備える実施形態と同様に、床敷居自体で、該当する高さの相違を補正することが可能である。もちろん、本発明に応じて、例えば外側を向く形で、該当する追加脚部を備える接続形状が設けられ、一方、内側には床敷居の通常の脚部が同様に底面の高さに適合可能に設けられるようにもなっている。これとは逆の配置も、当然、本発明に含まれている。
【００３３】
本発明の有利なバリエーションは、接続形状収容部が、断面で見て円形に又はキャスタ受け具として形成されていることで特徴づけられ、それによって、この収容部に対応して形成されている追加脚部又は中間部品のキャスタが収容される。これは、本発明の極めて適切な実施形態である。なぜなら、とくに、規定屈曲箇所などを備える構造でも、場合によっては、継続的な負荷に耐えられなくなるほど、材料の組織に悪影響を及ぼすような変形が生じるおそれのある高さでは、規定屈曲箇所などで材料を曲げる必要なく、高さ補正機能を保証することができるからである。ちょうどこのようなケースのために、追加脚部が、例えば中間部品の中に配置されており、この中間部品には、１つは前述した鍋形の受け具構造が装備され、他方では追加脚部用の差し込み溝が装備されている。
【００３４】
すでに説明した実施形態の発展形態は、終端部品が、接続形状に設けられた固定溝の中に配置可能であることで特徴づけられ、それによって、追加脚部又はそれに配置されている中間部品が旋回可能に固定される。この終端部品は、キャスタ受け具が溝に嵌め込まれている場合は、いわば、このキャスタ受け具の上部境界を形成する。これにより、旋回が非常に簡単に可能となる。望ましい角度が一度設定されると、この終端部品によって、次に中間部品の固定を行うことができる。
【００３５】
接続形状の底面を向く側面に高さ調整装置が設けられている場合はさらに有利であり、この装置は、接続形状に形成された接続溝の中に固定可能である。このことは、接続部品が特定の材料でサポートできないほど高さの違いがある場合、接続形状が傾斜するのを防ぐために用いられる。ここでの後配置あるいはゆるみ及び亀裂の発生を防止するため、高さ調整装置は極めて有利である。なぜなら、この装置は一度選択した高さまで設定可能であり、その高さに固定することもできるからである。このために、例えば下部領域に皿形の支持エレメントがあり、このエレメントは底面に当たり、調整ネジによって高さ調整装置の上部に接触している。ネジ山が望ましい高に設定されている場合、１つ又は２つのカウンタナットによって高さ調整装置を固定することができる。すでに言及したように、接続形状に中間部品を備える実施形態は、例えば、キャスタを持つ中間部品の外側を向く側面に、追加脚部を収納する差し込み溝が形成されているように作られている。それによって、任意の長さの追加脚部を嵌め込むことが可能になる。例えば、高さ調整機能のために脚部が長めの材料から形成されている場合などは、問題なく追加脚部の一部を切断して調整することができる。このことは、通常、一般的な加工手段によって行われ、このケースについて材料の弱化を受け入れる必要はない。
【００３６】
本発明は、シールが、詳細には複合金属シートによって基板の下面に配置可能であることで特徴づけられている。このシールは、外側領域、例えばバルコニー、テラスなどのような建物の外側を、内側領域に対して密閉するために用いられる。この場合、建物側では、床敷居が配置されている領域がしばしば無視される。このシールは、この領域を安全かつ確実に密閉するために設けられている。これにより、このシールが忘れられるため、後で建物の欠陥を排除する必要がなくなる。この場合、シールは、有利には溶接、冷間接着又は熱接着によって基板に固定可能である。有利には、床敷居が最終的に底面に固定される前にシールが床敷居に配置されるように取り付けられる。この場合、シールの密閉層は、例えば、この層が接続形状の追加脚部を超えるまで通ることができるように形成されている。しかし、少なくとも、例えば高さ調整装置の領域を超えるまでこの密閉層を通すことにより、この領域も安全に密閉するべきであろう。さらに外側へ通して、普通どおりに、もう１つの密閉層に接続又は貼り付けることも当然可能である。
【００３７】
本発明のもう１つの態様は、前述したように、詳細には床敷居のための高さ補正形状に関する。この場合、高さ補正形状は、この床敷居の外側と内側の両方に汎用的に設けることができる。この形状は、少なくとも接続形状、追加脚部ならびに高さ調整装置から成る。しかし、この高さ調整装置は同様にオプションである。例えばそれほど大きな高さの違いを補正しなくてもよい場合は、この高さ調整装置がなくても高さ補正形状を使用することができる。この場合、高さ補正形状は、すでに言及したように、本発明のバリエーションに従って、中間部品に固定可能であり、詳細には差し込み溝の中に差し込み可能である追加脚部を有している。この中間部品は、この場合、すでにかなり前に述べたように、曲げ部を備えることができ、それによって、この曲げ部を溝の中に嵌め込み、追加脚部を固定する。しかし、別の実施形態では、中間部品をキャスタ受け具として形成することも含まれ、キャスタ受け具は、追加脚部のキャスタが詳細には旋回可能に使用できる収容部を有している。そのような実施形態の利点は、床敷居及び該当する構造の中ですでに説明した。それらは、個々の形状においても同じことが当てはまる。
【００３８】
本発明は、システムを開閉するエレメント、例えば、前述したような床敷居、又は同じく前述したような高さ補正形状を備える窓またはドアにも関する。この場合、窓又はドアとしてのシステムを開閉するこれらのエレメントは、下部エレメント部品、例えばドアリーフと床敷居との間の中間スペースを安全に密閉するように形成されている。そのために、本発明に基づいて、例えば２つの磁気シールストリップが設けられており、これらは、ドア又は窓の下面に取り付けられているカウンタマグネットと連動する。しかしながら、有利には、本発明に基づき、好ましくは、もちろん窓又はドアの外面に配置される雨よけ板の中に、例えばプロファイルガスケットのような別のシールエレメントを設けることもできる。さらに、システム開閉エレメントの内面にも、内側領域を追加的に密閉するもう１つのプロファイルガスケットを設けることも可能である。これにより、全体として、第１には水分の浸入が確実に防止され、第２には冷気の流入又は熱の損失が、ドア又は窓に取り付けられたそのようなガスケットの配置により非常に確実かつ長期間にわたって防止される。
【００３９】
図には、とくに本発明の実施例が示されている。
【図面の簡単な説明】
【００４０】
【図１ａ】本発明に基づく床敷居の第１の実施形態である。
【図１ｂ】本発明に基づく床敷居の第１の実施形態である。
【図１ｃ】本発明に基づく床敷居の第１の実施形態である。
【図２ａ】本発明に基づく床敷居のバリエーションである。
【図２ｂ】本発明に基づく床敷居のバリエーションである。
【図２ｃ】本発明に基づく床敷居のバリエーションである。
【図３ａ】本発明に基づく床敷居のもう１つのバリエーションである。
【図３ｂ】本発明に基づく床敷居のもう１つのバリエーションである。
【図３ｃ】本発明に基づく床敷居のもう１つのバリエーションである。
【図４】２つの熱分離部を備える、本発明に基づく床敷居である。
【図５】本発明に基づく、図４に示されている床敷居のバリエーションである。
【図６ａ】本発明に基づく床敷居のもう１つの実施形態である。
【図６ｂ】本発明に基づく床敷居のもう１つの実施形態である。
【図７】変更されたカウンタマグネットを備える、図４による床敷居の実施形態である。
【図８ａ】異なる長さの屈曲可能な内側脚部を備える、本発明に基づく床敷居の次の実施形態のバリエーションである。
【図８ｂ】異なる長さの屈曲可能な内側脚部を備える、本発明に基づく床敷居の次の実施形態のバリエーションである。
【図９】異なる長さの屈曲可能な内側脚部を備える、本発明に基づく床敷居の次の実施形態のバリエーションである。
【図１０ａ】高さ補正形状として接続形状を備える、本発明に基づく床敷居である。
【図１０ｂ】本発明に基づく高さ補正形状の第１の実施形態である。
【図１１ａ】本発明に基づく高さ補正形状のもう１つのバリエーションである。
【図１１ｂ】本発明に基づく高さ補正形状のもう１つのバリエーションである。
【図１２】一体形成のカウンタマグネットを備える、本発明に基づく床敷居のもう１つの実施形態である。
【図１３】内側脚部用の旋回装置を備える、本発明に基づく床敷居のもう１つの実施形態である。
【図１４】接続アダプタ及び拡張部を備える、本発明に基づく床敷居である。
【図１５】接続アダプタ及びその前に位置する排水溝を備える、本発明に基づく床敷居である。
【図１６】接続アダプタ、拡張部及び排水溝を備える、本発明に基づく床敷居である。
【図１７】図５及び図６と同じだが、プラスチック製ドアを備える、本発明に基づく床敷居のもう１つの実施形態である。
【図１８】アダプタ及び排水溝を備える、本発明に基づく図１６による床敷居のバリエーションである。
【図１９】プラスチック製ドアを備える、図８ｂ又は８ｃと同様の、本発明に基づく床敷居である。
【図２０】図１１ａ又は図１１ｂによる接続形状を備える、本発明に基づく床敷居である。
【図２１】図１１ａ又は図１１ｂによる接続形状を備える、本発明に基づく床敷居である。
【発明を実施するための形態】
【００４１】
図の中で、同一エレメントか、もしくは互いに一致するエレメントには、それぞれ同一の符号が付けられており、従って、必要でない限り、それらのエレメントに新たに説明は加えられない。
【００４２】
図１ａ〜１ｃには、本発明に基づく床敷居１００の第１の実施形態が示されている。この場合、基板１は、少なくとも部分的に、内側Ｉを向く側面にある。図１ａでは、この場合、底面Ｂの方向に屈曲できる内側脚部１３が設けられている。このことは点線で描かれ、符号１３ｃで示されている。基板１には、磁気シールストリップ５及び６を収容するための溝３及び４がある。磁気シールストリップ５及び６は、覆われている状態で、すなわちドアが閉められている場合、カウンタマグネット８１によって引きつけられている。ここでは、ドアリーフに符号８が付けられ、一方、図１ｂでは、符号９のついた戸枠が示されている。第１の熱分離部１１は、内側領域から外側領域方向へ基板１を熱的に分離している。基板１は、引き続き、外側へ向けられた終端エレメント２によって形成され、この終端エレメントは下部終端プレートを形成している。この下部終端エレメント２は、流出部７１において外側Ａに向かって延びる放水路７を境界している。外側の脚部１４は、外側に向かって床敷居を終了し、一方、下部終端プレート又は下部終端エレメント２は、延長部２１の中に延びている。延長部２１は、ドア又は窓ドアの戸枠９がそこに固定できるように幅広に形成されている。このことを、図１ｂに示す。戸枠９は、詳しく図示されていない固定ネジによって床敷居１００に固定される。このために、図１ｃに図示されているアダプタ９０も用いられる。もちろん、この場合、図１ｂは、外側領域、すなわち戸枠９が見える領域のみを示している。延長部２１又は下部終端エレメント２は支柱２２を有しており、これらの支柱は、延長部２１又は下部終端エレメント２を支持するために用いられ、詳細には、床敷居から底面Ｂへの熱伝導を防止するためにも用いられる。カウンタマグネット８１は、担体８４に固定されており、この担体は、固定手段８５であるネジによってドアリーフ８に固定されている。
【００４３】
図２ａ〜２ｂには、本発明に基づく床敷居のもう１つの実施形態が示されている。ここでは、その他の全ての図と同様に、同一の符号は同一の特徴又はエレメントを示している。図１による解決方法とは違い、この場合、内側脚部１３は図１ａよりも短く形成されている。その他の点では、この実施形態は図１ａ〜図１ｃとほぼ同じである。従って、再度の符号の説明は省略する。
【００４４】
図３ａ及び３ｂには、本発明に基づく床敷居１００のもう１つの実施形態が示されている。この実施形態は、内側を向く側面に終端の脚部が設けられていないという点でこれまでに示した実施形態とは異なっている。従って、バリアフリーの移行を保証するためには、内側の床の高さが、床敷居１００の上部エッジ又は基板１の上部エッジで終了しなければならない。ここでも、その他のすべての符号は、図１及び２に示されている符号と同じ符号が使用されている。
【００４５】
図４は、本発明に基づくもう１つの床敷居１００を示し、この床敷居１００は基板１から成る。基板１には、第１の熱分離部１１と第２の熱分離部１２とが、それぞれ磁気シールストリップ５、６用の溝３、４の横に配置されている。溝３、４は、基板１の下面を通る放水路７に接続されている。流出部７１は、外側Ａに向けられた基板１の側面に配置されている。底面Ｂを向く側面には、下部終端エレメント２が設けられている。この下部終端エレメント２は、第１及び第２の熱分離部１１、１２とまったく同様に、基板１とは異なる材料から形成されている。この場合、好ましくはプラスチックが使用される。言及したコンポーネントの十分な安定性を保証するため、繊維強化プラスチックを使用することも、当然可能である。しかし、本発明は、そのことに限定されていない。内側Ｉを向く基板１の側面には、内側脚部１３が設けられている。外側Ａを向く側面には、外側脚部１４が配置されている。図に矢印で示されている床敷居１００は、規定に即した仕様では、ドア８又は窓と連動する。図には、ドアリーフの側面図が示されている。ドアリーフの下面には、磁気ストリップ５、６に対応するカウンタマグネット８１が配置されているため、ドア８が閉められている状態で、磁気ストリップ５、６は上方に引っ張られる。両方の溝３、４は、すでに言及したように、排水路７と接続されている。この排水路７は、適切に実施されている場合、排水路が終端エレメント２の上部を通り、問題なく外側Ａに通じるように底面上をガイドされる。この場合、流出部７１の流出開口部（詳しく図示されていない）は、内側の突起部３０、４０の方向にずれた状態で設けられている。この実施形態により、例えば強風又は横降りによって水分が内部へ押し込まれるのを防止することができる。しかし、外側Ａへの流出は阻害されない。ドア８の外側Ａを向く側面には、雨よけ板８０が設けられている。この雨よけ板８０は、この場合、中空形状として形成されている追加シール８２を担持している。雨よけ板８０は、ネジによってドアに固定されている。好ましくは、雨よけ板８０の上部にさらにシールが設けられ、そこに水気が入り込むのを阻止するようになっている。このことは、例えば、通常のシリコン継ぎ目８３であってもよく、この継ぎ目は雨よけ板を接続する前に取り付けられる。雨よけ板８０は、２つの部品から形成されているため、例えばネジが見えないように取り付けることでき、後でネジが水分によって影響を受けることがなく、従って汚い錆つき箇所も生じない。
【００４６】
図５は、図４に示されている床敷居１００のバリエーションである。この場合、図４と同じ符号が使用されている。符号は、有利には、その他の図においてもそのように使用されるため、必要な場合にのみ、もう一度違いが説明される。図４に示されている本発明のバリエーションとの違いでは、床敷居１００に内側脚部１３が装備されており、この内側脚部１３と基板１との接続箇所には規定屈曲箇所１３０が設けられている。これにより、内側脚部１３は位置１３’に屈曲可能である。このことは、例えば内側の底面Ｂが外側の底面Ｂよりも低い場合に、ｂ方向へ、すなわち底面Ｂの方に向かって行われる。この屈曲をさらに簡単にするため、規定屈曲箇所１３０に向かい合う面に凹部１３１が配置されている。この凹部は、図で分かるように、丸みがつけられているため、屈曲することによって、破損発生のおそれがあるような材料の変形は生じない。さらに、この凹部１３１によってｂ方向への屈曲が簡単になるのは当然である。
【００４７】
図６ａ、６ｂ及び７は、図４及び５による床敷居のもう１つの実施形態を示しているが、ここでは、異なった、すなわち変更されたカウンタマグネット８１が装備されている。図から明らかなように、この場合、カウンタマグネット８１には、ピン８４２が形成されている。このピンは、ドア８又は窓のリーフ内にカウンタマグネット８１を固定するために設けられている。そのためには、該当する穴を１つだけドア８の中に取り付ければよく、その穴の中にピン８４２を備えるカウンタマグネット８１が押し込まれる。この場合、穴はピン８４２の外径よりも多少狭く実施されているので、ピン８４２が合い釘と同じように作用するという原理が働いている。そのために、ピン８４２は有利には溝又はネジ山を有しており、これによって、合い釘のような作用が得られる。図６ｂには、カウンタマグネット８１の実施形態の拡大図が示されている。ここでは、このカウンタマグネット８１が床敷居又は磁気ストリップ５、６の方を向く側面に平面Ｆを有していることが分かる。この平面Ｆは、好ましくは凹形に実施されている。さらに、このＮ極に磁化された平面Ｆには、好ましくは３極構造が備えられており、例えばＳ極、Ｎ極、Ｓ極の順番に並べられている。このことにより、磁気シールストリップは、ドアが閉められた状態で安全に引きつけられる。これにより、さらに、極めて有利な密閉作用が達成される。なぜなら、平面Ｆの凹形の実施形態により、風、水気及び／又は熱の通過が防止されるからである。図６ａは、内側Ｉを向く脚部１３に該当する規定屈曲箇所１３０が装備されているという点で図７とは異なっており、これによって、この脚部が、破線で示されている位置１３’に動かされる。図７では、この脚部は固定されており、変更することはできない。
【００４８】
図８ａ、図８ｂおよび図９には、異なる長さの屈曲可能な内側脚部を備える、本発明に基づく床敷居１００の次の実施形態のバリエーションが示されている。ここでも、前述のバリエーションですでに説明したように、同一の符号が使用されている。しかし、図から明らかなように、ここでは、前に説明されたバリエーションよりも（断面で見て）幅の寸法が大きい床敷居１００が示されている。それ以外では、これまでと同様に、同一の符号が使用されている。これまで示されたバリエーションと異なるのは、ドア８の中に、担体８４が埋め込まれている凹部が下面にあることである。この担体８４は、例えば固定ネジなどによってドア８に固定することができる。この担体８４はカウンタマグネット８１を担持している。さらに、内側Ｉを向く側にはもう１つのシール８５が設けられていることが分かり、これによって、全体として密閉作用をさらに高めている。外側脚部１４又はこれと基板との接続部には、規定屈曲箇所１４０が設けられており、ここでも必要に応じて補正が行われる。その他のすべての符号はすでに説明され、これらの図でも同様に使用される。図８ａ、８ｂ及び９は、内側Ｉを向く基板１の脚部１３が異なる長さを有している点だけが異なっており、これによって、点線によって示された脚部１３の位置１３’で示されているように、さまざまな深さに脚部を屈曲することができる。この場合、例えば、内側を向く脚部１３は、外側Ａを向く脚部１４よりも明らかに長く実施されている。これにより、脚部はかなり大きく曲がることができるため、例えば５〜１０ｍｍ、とくに最大３０ｍｍのように、数ミリメートルのより大きな範囲で高さの違いを補正することができる。
【００４９】
図１０ａは、高さ調整形状Ｈとして接続形状１５を備える床敷居１００を示している。この接続形状１５は、この場合、床敷居１００の下面に固定されている。この固定は、例えば少なくとも１つのネジなど、一般的な固定手段で行われる。ここでは、接続形状１５が追加脚部１６を有しており、この追加脚部は、外側Ａを向く側に設けられている。この追加脚部１６も、１６’で示されている位置までｂ方向へ曲がることができる。特定の寸法公差を補正できるようにするため、高さ調整装置１７が設けられており、この装置は接続溝１５２の中に固定することができる。図で明らかなように、この高さ補正形状は、例えば該当するカウンタナットによって固定することができる。高さ補正形状Ｈは２つの部品から成り、すなわち、図１０ｂに示されているように、接続形状１５と追加脚部１６とによって形成されている。ここでも、屈曲を簡単にするために、規定屈曲溝１６０と、この溝に対応する形で向かい合って形成されている成形部１６１とが設けられている。追加脚部１６は、収容部１５１の中に、例えば曲げ部１６２を挿入することができる。これにより、取付けは、例えばまず、接続形状１５を床敷居１００に固定し、次に、床敷居１００が同様に底面Ｂに固定されたら、追加脚部１６を嵌め込むように実施することができる。そのような実施形態は、外側Ａと内側Ｉとの間にあるより大きな高さの違いを克服しなければならない場合にとくに有利である。この場合、そのように実施された床敷居１００及び接続形状１５又は高さ補正形状Ｈは、ここでも、主に障害者用車両又は障害者用装置が乗り越えられる移行部を作るのを支援する。とくに古い建物では、そうした高さの違いが頻繁に見られるため、古い建物のリフォームでは、この種の床敷居が極めて有利に使用可能である。詰め物によって底面を補正することは、一般的に経費がかかり、詳細には該当するシーリングを使って行わなければならず、このことにより常に困難な問題が生じる。ここでは、高さ補正形状Ｈによって対処することができる。この高さ補正形状Ｈは、図示されているように床敷居１００の外側Ａを向く側面に配置でき、図示されていない実施形態では、内側Ｉを向く側面にも配置することができる。図１０ａには、さらに、この内側脚部１３が位置１３’まで屈曲可能に形成されていることも示されている。シール１８は、複合金属シート１９によって床敷居１００又はその基板１の下面に固定されている。
【００５０】
図１１ａ及び図１１ｂには、高さ補正形状Ｈのもう１つのバリエーションが示されている。この形状は同様に接続形状１５を特徴としているが、この接続形状は、断面で見ると円形に又はキャスタ受け具として形成されている収容部１５１を有し、これに対応する形で形成されている、追加脚部１６又は中間部品１６３のキャスタ１６４を収容する。図１１ｂでは、高さ補正形状Ｈが拡大され、別個に表示されている。この図でさらに明らかなように、中間部品１６３は差し込み溝１６５を有している。この溝は、端部が差し込み溝１６５に対応して形成されている追加脚部１６を収容することができる。この追加脚部１６は、さまざまな幅を克服するのに十分な幅をあらかじめ保持しておくことができる。従って、現場で調整を行うため、追加脚部１６の一部を切断することが簡単にできる。このことは、例えば、相応に形成されているフライス又は鋸など、通常の加工ツールで行われる。中間部品１６３のローラ１６４は、収容部１５１の中に嵌め込まれている場合、中間部品１６３を望ましい位置に固定するため、終端部品１５３が、そのために設けられている固定溝１５４の中に嵌め込まれる。これにより、キャスタ受け具がいわば閉じられるため、中間部品１６３が外れることは不可能である。
【００５１】
図１２には、床敷居１００のもう１つの実施形態が示されている。ここでは、カウンタマグネット８１が一体形成で形成されている。すなわち、カウンタマグネット８１は、ドアが閉められた状態で、その幅にかけて磁気シールストリップ５、６のちょうど上にあり、両方のマグネットがそれぞれ引き合うように形成されている。この場合、カウンタマグネット８１の極性は、個別のカウンタマグネットとちょうど同じように作用し、従って、ここでは、Ｓ極、Ｎ極、Ｓ極、及びＳ極、Ｎ極、Ｓ極の極性を設けることができるだろう。それ以外では、図１２に示されている実施形態は、実質的に図６ａに示されているバリエーションと同一である。
【００５２】
図１３は、内側脚部１３用の旋回装置２００を備える、本発明に基づく床敷居のもう１つの実施形態を示している。図で明らかなように、この場合、旋回装置は、例えば接続形状１５について図１１ａ又は図１１ｂに示されているように実施されている。従って、脚部は、床敷居１を向く側に管状の構造を有し、この構造は、床敷居１の内側端部で一種のボールジョイント内に嵌め込まれる。これにより、内側脚部１３は、床敷居１の内側で、より低い場所にある床高さに問題なく配置することができる。図で明らかなように、熱分離部（ここでは図示されていない）も、前述した実施形態とは異なって実施されている。従って、本発明に基づく床敷居のこのバリエーションは、とくにこの特許出願の主要対象物の発展形態ともなり、独立請求項との関連でも、また従属請求項との関連でも、どちらでも組み合せることができる。ここでは、実施形態が、プラスチック製形状である窓形状又はドア形状によって示されている。この実施形態では、とくに内側を向くドアリーフ８の側面に追加のシール８４がリップシールとして実施され、配置されているというもう１つの特徴にも注目しなければならない。これにより、システム全体の密閉性がさらに改善される。この実施形態により、底面領域がより深い場合でも、幾分高い場合でも、床敷居の内側で問題なく補正することができるため、取付け作業が行い易くなる。
【００５３】
図１４は、もう１つの接続アダプタ３０１を備える、本発明に基づく床敷居である。このもう１つの接続アダプタ３０１は接続形状１５に配置されており、もう１つの接続アダプタ３０１は、クリップとして、接続アダプタ３０８に設けられている凹部の中にかみ合うことができる。この場合、もう１つの接続アダプタ３０１は、拡張部３００を収容できるように形成されている。拡張部３００の出口側端部には、底面を向く側にもう１つの高さ調整装置３０４が設けられている。拡張部３００の外側縁部には、さらにもう１つのインターフェース３０３が配置されているため、そこにもう１つのアダプタを接続して、それに最終組み立てエレメント又は拡張部を取り付けることもできる。それ以外では、ここに示された実施形態は、符号に関してこれまでの図と同一と見なすことができ、すなわち同じ特徴には同じ符号が付けられている。
【００５４】
図１５は、接続アダプタ３０８及びその前に位置する排水溝を備える、本発明に基づく床敷居を示し、接続部品３０７並びに終端側の出口部品３０９から成り、これらの２つのエレメントの間には格子３０６が設けられている。高さ調整装置１７は、それぞれ排水溝の下に配置されている。床敷居の下には、外から内側への断熱をさらに改善する断熱層５００が部屋側に設けられている。もちろん、ここでも、この図には詳しく示されていない外側の密閉層用のシールが設けられている。それ以外では、部屋側に追加のシール８４を有するプラスチックエレメントも示されている。それ以外では、この実施形態においても、本発明のこれまでの実施形態と同様に、特徴が表示されている。
【００５５】
図１６は、図１４で説明されている接続アダプタ３０８、拡張部３００、ならびに図１５で説明されている排水溝を備える本発明に基づく床敷居を示している。ここでも、同一の符号が用いられている。図で明らかなように、アダプタ３０８と拡張部３００の実施形態は、さらにその他のエレメントが、例えばインターフェース３０３などで拡張部３００に配置できるように適切な形で利用される。このことは、同様に、クリップ接続で行われる。それに加えて接続形状が形成されており、ここではその接続形状が符号４００で示されている。ここでは、もう１つのインターフェースが符号４０１で示されており、破線から分かるように、このインターフェースの中に接続形状４０２を回し入れてクリップ留めができるようになっている。出口側の底面には符号３１０が付けられている。その他のすべての符号は、すでにこれまでの図の中に示されている。
【００５６】
図１７は、本発明に基づくもう１つの実施形態を示しているが、図５及び図６ａに示された本発明の実施形態とほぼ同じである。ここでの大きな違いは、熱分離部１１及び１２の実施形態が変更されていること、ならびに窓エレメント又はドアエレメントの形状の実施形態が変更されていることである。この場合も、プラスチック製形状の実施形態が示されており、この形態にも同様に、すでに説明したその他のすべてのエレメントが取り付けられている。そのため、再度の符号の説明は省略する。
【００５７】
図１８は、図１６ですでに説明した、本発明に基づく床敷居のバリエーションを示している。しかし、ここでは、床敷居１と、格子３０６及び外縁部３０９を備える排水溝との間に拡張部を配置せずに、排水溝が直接アダプタ３０８に固定されており、このアダプタが床敷居１に固定されている。
【００５８】
図１９は、図８ｂおよび図８ｃで説明された実施形態と同様と見なすことのできる、本発明に基づく床敷居を示している。しかし、この場合、窓エレメント又はドアエレメントとしてプラスチックエレメントが設けられている。内側縁部１３は、この場合、明らかに底面の高さに適合することができる。
【００５９】
図２０及び２１は、同様に、例えば図１１ａ及び１１ｂで示されたような接続形状を備える本発明による床敷居を示している。ここでは、この接続形状に符号１５が付けられ、外側の追加脚部１６が設けられており、この脚部は、図１１ａ又は１１ｂで示されたように、例えばキャスタ受け具として形成された収容部の中に配置されている。内側脚部１３は、同様に、とくにこれまでの図ですでに説明したように屈曲可能に形成されている。図２１と図２０とは、内側脚部１３が僅かに短く実施されている点が異なっている。それ以外では、ここでも、ドアエレメント又は窓エレメントとして、プラスチックエレメントが示されている。示されたすべての図において、窓エレメント又はドアエレメントとして、木材仕様又はプラスチック仕様が考えられているが、もちろんアルミニウムエレメントを用いることも可能であることは確実である。従って、本発明に基づく床敷居は、木材、プラスチック又はアルミニウム形状に汎用的に使用可能である。
【００６０】
できる限り詳しく示されている正確な実施例を使って本発明を説明したが、これは説明のためにだけ用いられていること、また本発明が必ずしもこれだけに制限されないことを指摘しておく。なぜなら、本特許公開に関して、代替の実施例及び手順は当業者には明らかであるからである。従って、説明された本発明の内容から逸脱することなく実施可能な変更が考慮されるであろう。
【図１ａ】
2015510057.tif 000003
【図１ｂ】
2015510057.tif 000004
【図１ｃ】
2015510057.tif 000005
【図２ａ】
2015510057.tif 000006
【図２ｂ】
2015510057.tif 000007
【図２ｃ】
2015510057.tif 000008
【図３ａ】
2015510057.tif 000009
【図３ｂ】
2015510057.tif 000010
【図３ｃ】
2015510057.tif 000011
【図４】
2015510057.tif 000012
【図５】
2015510057.tif 000013
【図６ａ】
2015510057.tif 000014
【図６ｂ】
2015510057.tif 000015
【図７】
2015510057.tif 000016
【図８ａ】
2015510057.tif 000017
【図８ｂ】
2015510057.tif 000018
【図９】
2015510057.tif 000019
【図１０ａ】
2015510057.tif 000020
【図１０ｂ】
2015510057.tif 000021
【図１１ａ】
2015510057.tif 000022
【図１１ｂ】
2015510057.tif 000023
【図１２】
2015510057.tif 000024
【図１３】
2015510057.tif 000025
【図１４】
2015510057.tif 000026
【図１５】
2015510057.tif 000027
【図１６】
2015510057.tif 000028
【図１７】
2015510057.tif 000029
【図１８】
2015510057.tif 000030
【図１９】
2015510057.tif 000031
【図２０】
2015510057.tif 000032
【図２１】
2015510057.tif 000033
【国際調査報告】
2015510057.tif 000034
2015510057.tif 000035
2015510057.tif 000036
2015510057.tif 000037
2015510057.tif 000038
2015510057.tif 000039
2015510057.tif 000040
2015510057.tif 000041
2015510057.tif 000042
2015510057.tif 000043